(57)【特許請求の範囲】
【請求項１】
縦方向の折り畳み予定線を介して、左右方向に葉書大の寸法を有する葉書用紙片が連接され、前記葉書用紙片のうち、一方の葉書用紙片の下端部には、横方向の折り畳み予定線を介して、葉書大の寸法の半分以下の大きさを有する折り曲げ用紙片が設けられ、前記折り曲げ用紙片が形成された葉書用紙片の、前記縦方向の折り畳み予定線で折り畳まれた際に密着する面には前記折り曲げ用紙片の面を含め再剥離再貼着可能な粘着剤層が形成され、前記再剥離再貼着可能な粘着剤層の表出面上には剥離紙が剥離可能に貼付されていることを特徴とする隠蔽葉書作成用紙。
【発明の詳細な説明】
【技術分野】
【０００１】
本発明は、葉書に記載した内容が第三者に漏洩されることを防止でき、更に、記載領域を広く取ることができる隠蔽葉書作成用紙に関する。
【背景技術】
【０００２】
従来、葉書を用いて情報の伝達を行なう場合、受取人にその葉書が渡る前に、第三者に葉書に記載された情報が見られてしまい、個人情報が漏洩され不正行為の原因となるという問題がある。
この対策として、葉書に記載された個人情報が外部から見られない状態とするために、隠蔽用ラベルを貼付したり、２つ折りして剥離可能な状態で接着させた葉書を用いるなどしている。
これらの隠蔽用ラベルについては、既に公知となっているものがある。（例えば、特許文献１〜３参照）
【０００３】
【特許文献１】特開平１０−１６６７６５号公報
【特許文献２】特開平１１−１２９６５４号公報
【特許文献３】特開平１１−３３４２５６号公報
【０００４】
しかしながら、隠蔽用ラベルを貼付したり、葉書用紙を２つ折りして外部から見えない状態にして、個人情報を送る場合に、隠蔽状態にできる領域が葉書面の２倍以内であるために、葉書を用いて伝達する個人情報が増えた場合に、隠蔽可能な領域に限界があり、対応できないという問題がある。
【発明の開示】
【発明が解決しようとする課題】
【０００５】
そこで、本発明は、隠蔽状態にできる領域が葉書面の２倍以上設けることができるようにして、より多くの情報を保護させて郵送できるようにした隠蔽葉書作成用紙を提供する。
【課題を解決するための手段】
【０００６】
本発明の隠蔽葉書作成用紙は、縦方向の折り畳み予定線を介して、左右方向に葉書大の寸法を有する葉書用紙片が連接され、前記葉書用紙片のうち、一方の葉書用紙片の下端部には、横方向の折り畳み予定線を介して、葉書大の寸法の半分以下の大きさを有する折り曲げ用紙片が設けられ、前記折り曲げ用紙片が形成された葉書用紙片の、前記縦方向の折り畳み予定線で折り畳まれた際に密着する面には前記折り曲げ用紙片の面を含め再剥離再貼着可能な粘着剤層が形成され、前記再剥離再貼着可能な粘着剤層の表出面上には剥離紙が剥離可能に貼付されていることを特徴とする。
【発明の効果】
【０００７】
本発明の隠蔽葉書作成用紙は、葉書用紙のうち、一方の葉書用紙片の下端部には、横方向の折り畳み予定線を介して、葉書大の寸法の半分以下の大きさを有する折り曲げ用紙片が設けられているので、隠蔽状態にできる領域が葉書面の２倍以上設けることができ、より多くの情報を保護させて郵送できるという効果がある。
【発明を実施するための最良の形態】
【０００８】
以下、本発明の実施形態に係る隠蔽葉書作成用紙を、図面に基づいて詳細に説明する。
図１は、実施形態に係る隠蔽葉書作成用紙の平面図、図２は、図１のＡ−Ａ線断面図、図３は、実施形態に係る隠蔽葉書作成用紙の構成を説明するための斜視図である。
実施形態に係る隠蔽葉書作成用紙１は、葉書を作成するための葉書用紙２と、葉書用紙２の所定部分に剥離可能に貼付されている剥離紙３とから構成されている。
そして、葉書用紙２は、縦方向の折り畳み予定線４を介して、左右方向に連接されている葉書大の寸法を有する葉書用紙片２a，２ｂと、更に、葉書用紙片２a，２ｂのうち、一方の葉書用紙片２ｂの下端部に、横方向の折り畳み予定線５を介して連接されている葉書大の寸法の半分以下の大きさを有する折り曲げ用紙片２ｃとから構成されている。
この場合、郵便法上においては、葉書用紙片２a，２ｂのうち、葉書用紙片２aが葉書本体となり、葉書用紙片２ｂと折り曲げ用紙片２ｃが貼付用紙ということになる。
尚、縦方向の折り畳み予定線４及び横方向の折り畳み予定線５には、折り曲げしやすいようにミシン目が形成されていることが好ましい。
【０００９】
図３に示すように、葉書用紙２の葉書用紙片２ｂ及び折り曲げ用紙片２ｃの表面上には、それぞれ再剥離再貼着可能な粘着剤層６が設けられている。
再剥離再貼着可能な粘着剤層６とは、一旦、貼着状態にした場合でも、再度剥離でき、更に繰り返し貼着、剥離を行なえる性質を有する粘着剤が塗布されている層のことである。
また、葉書用紙２の葉書用紙片２ｂ及び折り曲げ用紙片２ｃ上に設けられた再剥離再貼着可能な粘着剤層６の上側には、剥離紙３が剥離可能に貼付されている。
【００１０】
次に、図４ないし図６に基づいて、隠蔽葉書作成用紙１の使用方法について説明する。
まず、隠蔽葉書作成用紙１を使用して葉書を郵送する差出人は、葉書用紙片２ｂから剥離紙３を剥離させて、あて先や、伝達しようとする内容を記入や印字などして記載する。
この場合、図４に示す状態において、葉書用紙片２aの裏面側の上半分の領域があて先記載部分となり、その部分にあて先を記載する。
また、そのあて先記載部分以外の部分は、自由に伝達情報などを記載することができるが、郵送時に記載内容を隠蔽させた状態とできる領域は、葉書用紙片２aのあて先記載部分を有する面の反対面と、葉書用紙片２ｂ及び折り曲げ用紙片２ｃの再剥離再貼着可能な粘着剤層６が設けられている面が隠蔽可能な領域である。
【００１１】
そして、あて先や、伝達しようとする内容を記載させた後、図５に示すように、縦方向の折り畳み予定線４から、葉書用紙片２a，２ｂを折り畳んで、葉書用紙片２ｂの上側に葉書用紙片２aを重ね合わせて、再剥離再貼着可能な粘着剤層６により葉書用紙片２a，２ｂ同士を貼着させる。
更に、図６に示すように、横方向の折り畳み予定線５から折り曲げ用紙片２ｃを折り畳んで、葉書用紙片２aの上側の下半分の領域に折り曲げ用紙片２ｃを重ね合わせて、再剥離再貼着可能な粘着剤層６により葉書用紙片２aと折り曲げ用紙片２ｃを貼着させる。
これにより、郵便葉書の２面半の領域に記載された情報を隠蔽状態にして郵送させることができる。
【００１２】
また、この葉書の受取人は、まず折り曲げ用紙片２ｃを剥離させた後、更に、貼着状態にある葉書用紙片２a，２の一方の角部から引き剥がすことで、図４に示すような、記載内容が見られる状態とすることができる。
これにより、あて先に記載された本来の受取人だけが、隠蔽状態にある記載内容を見ることができ、更に、葉書の差出人にとっても、より多くの情報を隠蔽状態にして郵送させることができるようにしてある。
【図面の簡単な説明】
【００１３】
【図１】本発明の実施形態に係る隠蔽葉書作成用紙の平面図である。
【図２】図１のＡ−Ａ線断面図である。
【図３】本発明の実施形態に係る隠蔽葉書作成用紙の構成を説明するための斜視図である。
【図４】本発明の実施形態に係る隠蔽葉書作成用紙の葉書用紙の斜視図である。
【図５】本発明の実施形態に係る隠蔽葉書作成用紙の葉書用紙から葉書を作成する途中の状態を示す斜視図である。
【図６】本発明の実施形態に係る隠蔽葉書作成用紙の葉書用紙から葉書を作成した状態を示す斜視図である。
【符号の説明】
【００１４】
１  隠蔽葉書作成用紙
２  葉書用紙
２a，２ｂ  葉書用紙片
３  剥離紙
４  縦方向の折り畳み予定線
５  横方向の折り畳み予定線
６  再剥離再貼着可能な粘着剤層
【図１】
0005104376.tif 000002
【図２】
0005104376.tif 000003
【図３】
0005104376.tif 000004
【図４】
0005104376.tif 000005
【図５】
0005104376.tif 000006
【図６】
0005104376.tif 000007